(57)【特許請求の範囲】
【請求項１】
配管を上下方向から挟持し、その上方には接続フランジと配管の穿孔に連通する貫通孔を備えた配管挟持部材を有し、その配管挟持部材の接続フランジと連結される連結フランジを有し、その連結フランジの中央に前記貫通孔と連通する挿通孔を形成し、その挿通孔に上部にハンドルを備えたスピンドルを備え、そのスピンドルには加圧により配管の口径に合わせ変形するゴム製止水体を挿通自在に備えた上水道配管の止水装置において、前記したゴム製止水体は内部に前記スピンドルと連結された大径ネジと、その大径ネジの下方に大径ネジと一体的に形成された小径の逆ネジとを備え、その大径ネジと小径の逆ネジに各々円盤体を螺着し、その円盤体の外周縁に摺接する内面を膨出させた複数の拡開板を備え、その拡開板の内面をゴムで被覆してあることを特徴とする上水道配管の止水装置。
【請求項２】
前記した配管挟持部材は下部挟持部材と上部挟持部材の組合せとし、上部挟持部材には配管の穿設された透孔と連通される筒状部が形成され、その筒状部の上面開口縁にはリング状の受フランジを設け、この受フランジには前記筒状部と連通するガイド筒部が形成され、重合フランジで受フランジと積合される当接ガイド部が備えられ、前記ガイド筒部の開口近傍には対称的に一対の突片が突設され、その突片上にはポールが設けられ、このポールには中心のネジ孔を前記スピンドルに嵌挿し、各ポール間に架設する孔を形成したロックプレートを備えており、前記ハンドルはスピンドルに着脱自在としてあることを特徴とする請求項１に記載の上水道配管の止水装置。
【発明の詳細な説明】
【０００１】
【発明の属する技術分野】
本発明は上水道配管の止水工法及び止水装置に関し、特に配管の修理や交換工事の際に一時的に管内を流れる水を止めるための止水工法及び止水装置に関する。
【０００２】
【発明の背景】
従来より、上記した目的のため、止水は種々の工法及び装置を用いてなされているが、いずれも工費が嵩み、また、完全な止水は困難でどうしても漏れが発生してしまうもので、工事の能率が悪く加えて、正常状態への復元に時間と大量の無駄な水の通水が必要とされていた。
【０００３】
【発明の目的】
そこで、本発明は上記した従来の実情、問題点に着目してなされたもので、かかる問題点を解消して、作業が容易で時間もかからず、余分な材料も不要とすることで経費も安くなり、また、止水状態も完全なものとすることができる上水道配管の止水工法及び止水装置を提供することを目的としている。
【０００４】
【課題を解決するための手段】
この目的を達成するために、本発明に係る上水道配管の止水工法及び止水装置は配管の上部に穿孔した後、その穿孔内にゴム製止水体を圧入し、そのゴム製止水体を配管の口径に合わせ加圧して変形させることを特徴とし、前記ゴム製止水体は上部にハンドル付きのスピンドルが設けられ、そのスピンドルの回転により推進され、変形して配管の口径内面に密接した後、前記スピンドルをロックすることを特徴としており、また、配管を上下方向から挟持し、その上方には接続フランジと配管の穿孔に連通する貫通孔を備えた配管挟持部材を有し、その配管挟持部材の接続フランジと連結される連結フランジを有し、その連結フランジの中央に前記貫通孔と連通する挿通孔を形成し、その挿通孔に上部にハンドルを備えたスピンドルを備えたゴム製止水体を挿通自在に備えたことを特徴とし、前記したゴム製止水体は内部にスピンドルと連結された大径ネジと、その大径ネジと一体的に形成された小径の逆ネジとを備え、その大径ネジと小径の逆ネジに各々円盤体を螺着し、その円盤体の外周縁に内面を膨出させた拡開板を備え、その拡開板の内面をゴムで被覆してあることを特徴とし、前記したゴム製止水体は内部にくびれ部を有する芯材を設けてあり、その芯材に押圧力が加えられるものとしたことを特徴としている。
【０００５】
【作用】
上記した構成としたことによってゴム製止水体を操作する簡易な作業によって格別な熟練性を要せずとも完全な止水状態を得ることができ、しかもこの装置は繰り返し使用することができるもので、作業時間も短縮され経済的にも有利なものとなるのである。
【０００６】
【発明の実施の形態】
次に、本発明の実施の形態を図面を参照して説明する。図１は本発明の施工状態を示す断面正面図、図２は同じく装置の分離斜視図、図３はゴム製止水体の断面図、図４は同じくゴム製止水体の他の例を示す断面図である。
【０００７】
これらの図にあって１は上水道の配管を示している。この配管１には工事作業の前提として上面部分に透孔２が穿設される。また、この透孔２が穿設されると、その透孔２の位置に対応して下部挟持部材３及びこの下部挟持部材３と同様の弧面を有する上部挟持部材４によって配管１は挟持され、下部挟持部材３と上部挟持部材４はその側縁に突出形成されたフランジにボルト５、５…が通され締結固化される。
【０００８】
また、前記した上部挟持部材４には透孔２と連通する筒状部６が形成され、その筒状部６の上面開口縁にはリング状とした受フランジ７が設けられている。
【０００９】
一方、図中８は当接ガイド部材であり、この当接ガイド部材８には前記受フランジ７と積合する重合フランジ９が形成され、また、前記筒状部６と連通するガイド筒部１０が形成されているもので、前記した重合フランジ９は受フランジ７にボルト１１、１１…によって締結固化される。
【００１０】
さらに、前記したガイド筒部１０の上面開口近傍には対称的に一対の突片１２、１２が突設され、その突片１２、１２上には通常キャップナットが被冠されているポール１３、１３が垂直されたものとなっている、。
【００１１】
また、図中１４はゴム製止水体を示しており、このゴム製止水体は略円筒状をなし、その先端１４ａは配管１の内径曲度と合致する球面状となっているもので、さらにその直径は前記した透孔２、筒状部６、ガイド筒部１０と密に合致するものとなっている。
【００１２】
このゴム製止水体１４の上端にはスピンドル１５が延設されており、このスピンドル１５の上端近くには着脱を可能としたハンドル１６が設けられているもので、このハンドル１６を操作することでゴム製止水体１４をガイド筒部１０の上面開口から配管１内まで挿入させ、最終的に押圧力を加えることで、そのゴム製止水体１４を膨出変形させることで配管１の内壁面に密接させ止水状態を得ることとなる。
【００１３】
この止水状態が得られた際にロックプレート１７を前記したポール１３、１３に架設し、そのロックプレート１７の中心のネジ切りしたネジ孔１７ａをスピンドル１５に嵌挿することでその状態を維持させるものとなっている。
【００１４】
そして、前記したゴム製止水体１４は側方に対し、平均的に膨出変形させるため、図３、図４に示す如き構造となっている。即ち、図３にあってはスピンドル１５の下端に大径としたネジ部１８が設けられ、そのネジ部１８の下端に小径とした逆ネジ部１９が一体形成されているもので、このネジ部１８及び逆ネジ部１９には各々円盤体２０、２１が螺着されて備えられている。
【００１５】
また、前記した円盤体２０、２１の外周縁と当接する状態で、内面に膨出部２２ａを設けた複数（６〜８枚）の拡開板２２が設けられ、その周囲をゴム材で被覆した構成としている。
【００１６】
かかる構成としたことにより、スピンドル１５からの回転力で円盤体２０、２１は相互に対向する方向へ移行され、その円盤体２０、２１の外周縁が拡開板２２の膨出部２２ａを擦り上げ徐々に外方へゴム材を広げて行く。この際に逆ネジ部１９が小径とされていることで円盤体２１の移行速度が円盤体２０よりも速くなり、水の流通量が多い配管１の下部をより早く止めていくことができるようになっている。
【００１７】
さらに、ゴム製止水体１４は図４のように構成することもでき、この場合、途中にくびれ部２３ａを形成し、弾性を保有した芯材２３を内包させてある。この芯材２３の存在により上方からの押圧力に対する応力は周辺に分散され、ゴム製止水体１４を配管１の内径に密着させる変形が可能となっている。
【００１８】
【発明の効果】
本発明に係る上水道配管の止水工法及び止水装置は上述のように構成されている。そのため、格別な熟練性を要せず容易に短時間で完全な止水状態を得ることができ、経済的にも有利なものとすることができる。
【図面の簡単な説明】
【図１】施工状態を示す断面正面図である。
【図２】装置の分離斜視図である。
【図３】ゴム製止水体の断面図である。
【図４】ゴム製止水体の他の例を示す断面図である。
【符号の説明】
１  配管
２  透孔
３  下部挟持部材
４  上部挟持部材
５  ボルト
６  筒状部
７  受フランジ
８  当接ガイド部材
９  重合フランジ
１０  ガイド筒部
１１  ボルト
１２  突片
１３  ポール
１４  ゴム製止水体
１４ａ  先端
１５  スピンドル
１６  ハンドル
１７  ロックプレート
１７ａ  ネジ孔
１８  ネジ部
１９  逆ネジ部
２０  円盤体
２１  円盤体
２２  拡開板
２２ａ  膨出部
２３  芯材
２３ａ  くびれ部
【図１】
0003839100.tif 000002
【図２】
0003839100.tif 000003
【図３】
0003839100.tif 000004
【図４】
0003839100.tif 000005